(57)【要約】      （修正有）【課題】構造が簡単で、設計が合理的で、製造コストが低い、使用空間が大幅に増加される実験室試験管ラックを提供する。【解決手段】台座１、台座上部の前後左右に設置される支えレバー、支えレバーに設置されるラック本体２、及びラック本体内に設置される大ビニール輪４と小プラスチック輪５を含む。台座の上部に、インデントがラック本体と相対的に設置される。大ビニール輪は４列設置され、小プラスチック輪は３列設置される。小プラスチック輪は大ビニール輪の隙間に設置され、大ビニール輪と小プラスチック輪は緊密につながっている。【選択図】図２
0003200881.tif 000002
【実用新案登録請求の範囲】
【請求項１】
試験管ラックにおいて、台座、台座上部の前後左右の4つ方向に設置される支えレバー、4つの支えレバーに設置されるラック本体、及びラック本体内に設置される大ビニール輪と小プラスチック輪を含み、台座の上部にインデントが設置され、大ビニール輪は4列設置され、小プラスチック輪は3列設置され、小プラスチック輪は2列の大プラスチック輪の隙間に設置され、大ビニール輪と小プラスチック輪が緊密につながっていることを特徴とする試験管ラック。
【請求項２】
請求項１に記載の試験管ラックにおいて、台座が円筒状で、ラック本体が六角柱状であることを特徴とする試験管ラック。
【請求項３】
請求項１に記載の試験管ラックにおいて、大ビニール輪の直径が小プラスチック輪の直径より大きく、かつ、大プラスチック輪は20個以上設置され、小プラスチック輪は17個以上を設置されることを特徴とする試験管ラック。
【請求項４】
請求項１に記載の試験管ラックにおいて、インデントの底面が六辺形であることを特徴とする試験管ラック。
【考案の詳細な説明】
【技術分野】
【０００１】
本実用新案は、一種の実験室試験管ラックにかかわる。
【背景技術】
【０００２】
現在、多くの科学研究所と高校は、実験と教育の過程の中で、使用の試験管ラックがすべて固定式な試験管ラックである。試験管ラックは、5 ml、 10 ml 20ml、25mlなどの多種の規格を置いている。口径が比較的に固定のため、試験管ラックは同時に異なる規格の試験管を置かない、実験の過程で操作がとても不便である。また、既存の試験管ラックに置いた試験管と試験管の間隔があまり大きい、試験管ラックの空間を完全に合理的な利用しないので、使用空間の無駄遣いによっている。
【考案の概要】
【考案が解決しようとする課題】
【０００３】
これ以上の問題を解決するために、本実用新案は、構造が簡単で、設計が合理的で、製造コストが低い、使用空間が大幅に増加される実験室試験管ラックを提出する。
【課題を解決するための手段】
【０００４】
この一種の実験室試験管ラックは、台座、台座上部の前後左右の4つ方向に設置される支えるレバー、4つの支えレバーに設置されるラック本体、及びラック本体内に設置される大ビニール輪と小プラスチック輪を含みる。台座の上部にインデントを設置され、ラック本体と相対的に設置される。大ビニール輪の設置は4列があり、小プラスチック輪の設置は3列がある。小プラスチック輪は2列の大プラスチック輪の隙間で設置され、大ビニール輪と小プラスチック輪が緊密につながっている。
【０００５】
さらに、台座が円筒状で、ラック本体が六角柱状体である。
【０００６】
さらに、大ビニール輪の直径が小プラスチック輪の直径より大きい。かつ、大プラスチック輪は20及び20以上を設置され、小プラスチック輪は17と17個以上を設置される。
【０００７】
さらに、インデントの底面が六辺形である。
【考案の効果】
【０００８】
本実用新案は、現在の技術を比較するにより、以下の有益効果がある。本実用新案は、2列の大ビニール輪の隙間に小プラスチック輪を置いて、大ビニール輪と小プラスチック輪の間が緊密につながっている。それによって、空間がもっと大きい活用し、試験管を置く数量が増加できる。その構造は簡単で、設計も合理的で、製造コストも低くて、使用空間も大幅に増える。
【図面の簡単な説明】
【０００９】
【図１】この実験室試験管ラックの前面図である。
【図２】この実験室試験管ラックの俯瞰図である。
【考案を実施するための形態】
【００１０】
図１と図２により、この一種の実験室試験管ラックは、台座１、台座１上部の前後左右の4つ方向に設置される支えるレバー３、4つの支えレバー３に設置されるラック本体２、及びラック本体２内に設置される大ビニール輪４と小プラスチック輪５を含みる。台座１の上部にインデント６を設置され、ラック本体２と相対的に設置される。大ビニール輪４の設置は4列があり、小プラスチック輪５の設置は3列がある。小プラスチック輪５は2列の大プラスチック輪４の隙間で設置され、大ビニール輪４と小プラスチック輪５が緊密につながっている。
【００１１】
その中で、台座１が円筒状で、ラック本体２が六角柱状体である。
【００１２】
その中で、大ビニール輪４の直径が小プラスチック輪５の直径より大きい。かつ、大プラスチック輪４は20及び20以上を設置され、小プラスチック輪５は17と17個以上を設置される。この実施例に、大プラスチック輪４は20個を設置され、小プラスチック輪5は17個を設置される。それによって、すべての六角柱状のラック本体２をおくことができる。大プラスチック輪4と小プラスチック輪５の内に、異なる規格の試験管を置くことができる。
【００１３】
その中で、インデント６の底面が六辺形である。大プラスチック輪4と小プラスチック輪５の内に置く試験管の底部は、インデント６の内に置いている。
【００１４】
本実用新案は、現在の技術を比較するにより、以下の有益効果がある。本実用新案は、2列の大ビニール輪の隙間に小プラスチック輪を置いて、大ビニール輪と小プラスチック輪の間が緊密につながっている。それによって、空間がもっと大きい活用し、試験管を置く数量が増加できる。その構造は簡単で、設計も合理的で、製造コストも低くて、使用空間も大幅に増える。
【００１５】
以上のものは、本実用新案の基本的な原理、主要な特徴と利点を表示と記述した。当業界の技術者が理解するべきことは、本実用新案が上記の実施例の制限を受けないである。上記の実施例と説明書の中で記述されたことは、本実用新案の原理を説明するだけである。本実用新案の精神と範囲を離れなく前提の下で、本実用新案は、また各種の変化と改善がある。これらの変化と改善ことは、本実用新案を保護する範囲に入る。本実用新案は、保護範囲が添付の権利請求書と同じ物に定義されることを要求する。
【符号の説明】
【００１６】
１−台座；２−ラック本体；３−支えるレバー；４−大ビニール輪；５−小プラスチック輪；６−インデント。
【図１】
0003200881.tif 000003
【図２】
0003200881.tif 000004
【手続補正書】
【提出日】平成27年8月31日(2015.8.31)
【手続補正１】
【補正対象書類名】明細書
【補正対象項目名】０００４
【補正方法】変更
【補正の内容】
【０００４】
この一種の実験室試験管ラックは、台座、台座上部の前後左右の4つ方向に設置される支えるレバー、4つの支えレバーに設置されるラック本体、及びラック本体内に設置される大ビニール輪と小プラスチック輪を含みる。台座の上部にインデントを設置され、ラック本体と相対的に設置される。大ビニール輪の設置は4列があり、小プラスチック輪の設置は3列がある。小プラスチック輪は2列の大ビニール輪の隙間で設置され、大ビニール輪と小プラスチック輪が緊密につながっている。
【手続補正２】
【補正対象書類名】明細書
【補正対象項目名】０００６
【補正方法】変更
【補正の内容】
【０００６】
さらに、大ビニール輪の直径が小プラスチック輪の直径より大きい。かつ、大ビニール輪は20及び20以上を設置され、小プラスチック輪は17と17個以上を設置される。
【手続補正３】
【補正対象書類名】明細書
【補正対象項目名】００１０
【補正方法】変更
【補正の内容】
【００１０】
図１と図２により、この一種の実験室試験管ラックは、台座１、台座１上部の前後左右の4つ方向に設置される支えるレバー３、4つの支えレバー３に設置されるラック本体２、及びラック本体２内に設置される大ビニール輪４と小プラスチック輪５を含みる。台座１の上部にインデント６を設置され、ラック本体２と相対的に設置される。大ビニール輪４の設置は4列があり、小プラスチック輪５の設置は3列がある。小プラスチック輪５は2列の大ビニール輪４の隙間で設置され、大ビニール輪４と小プラスチック輪５が緊密につながっている。
【手続補正４】
【補正対象書類名】明細書
【補正対象項目名】００１２
【補正方法】変更
【補正の内容】
【００１２】
その中で、大ビニール輪４の直径が小プラスチック輪５の直径より大きい。かつ、大ビニール輪４は20及び20以上を設置され、小プラスチック輪５は17と17個以上を設置される。この実施例に、大ビニール輪４は20個を設置され、小プラスチック輪5は17個を設置される。それによって、すべての六角柱状のラック本体２をおくことができる。大ビニール輪4と小プラスチック輪５の内に、異なる規格の試験管を置くことができる。
【手続補正５】
【補正対象書類名】明細書
【補正対象項目名】００１３
【補正方法】変更
【補正の内容】
【００１３】
その中で、インデント６の底面が六辺形である。大ビニール輪4と小プラスチック輪５の内に置く試験管の底部は、インデント６の内に置いている。
【手続補正６】
【補正対象書類名】実用新案登録請求の範囲
【補正対象項目名】請求項１
【補正方法】変更
【補正の内容】
【請求項１】
試験管ラックにおいて、台座、台座上部の前後左右の4つ方向に設置される支えレバー、4つの支えレバーに設置されるラック本体、及びラック本体内に設置される大ビニール輪と小プラスチック輪を含み、台座の上部にインデントが設置され、大ビニール輪は4列設置され、小プラスチック輪は3列設置され、小プラスチック輪は2列の大ビニール輪の隙間に設置され、大ビニール輪と小プラスチック輪が緊密につながっていることを特徴とする試験管ラック。
【手続補正７】
【補正対象書類名】実用新案登録請求の範囲
【補正対象項目名】請求項３
【補正方法】変更
【補正の内容】
【請求項３】
請求項１に記載の試験管ラックにおいて、大ビニール輪の直径が小プラスチック輪の直径より大きく、かつ、大ビニール輪は20個以上設置され、小プラスチック輪は17個以上を設置されることを特徴とする試験管ラック。